(57)【要約】【課題】本発明は、汎用性を有するデータ記憶装置用の固定装置を提供することを目的とする。【解決手段】本発明に係るデータ記憶装置用の固定装置は、通孔を設けられた後板を有するラックと、前記後板に固定されるマザーボードと、を備え、前記マザーボードは、前記通孔を貫いて前記ラックの外部に突出する端子部品が突設されている第一側面及び前記第一側面の反対側を向いた第二側面を備え、第一データ記憶装置を固定する場合、前記マザーボードの第二側面には第一データ記憶装置に適合するコネクタが着脱可能に装着され、第二データ記憶装置を固定する場合、前記マザーボードの第二側面には第二データ記憶装置に適合するコネクタが着脱可能に装着される。【選択図】図３
2012128935.tif 000002
【特許請求の範囲】
【請求項１】
通孔が設けられた後板を有するラックと、
前記後板に固定されており、且つ前記後板の通孔を貫いて前記ラックの外部に突出する端子部品が突設されている第一側面と及び前記第一側面の反対側を向いた第二側面を有するマザーボードと、
備え、異なる寸法を有する第一データ記憶装置又は第二データ記憶装置を固定するために用いられるデータ記憶装置用の固定装置であって、
前記第一データ記憶装置を固定する場合、前記マザーボードの第二側面には、前記第一データ記憶装置に適合するコネクタが着脱可能に装着され、前記第二データ記憶装置を固定する場合、前記マザーボードの第二側面には、前記第二データ記憶装置に適合するコネクタが着脱可能に装着されることを特徴とするデータ記憶装置用の固定装置。
【請求項２】
前記ラックは、底板と、前記底板の両側に立設された２つの側板をさらに備え、各々の前記側板には別々に複数の係合孔が形成され、複数の前記第一データ記憶装置又は複数の前記第二データ記憶装置を重ねて固定する場合、上方に位置する前記第一データ記憶装置又は前記第二データ記憶装置は、複数の螺子及び複数の前記係合孔を介して前記側板に固定されることを特徴とする請求項１に記載のデータ記憶装置用の固定装置。
【請求項３】
前記底板には、複数の係止孔が形成され、前記後板は前記底板の後端に直交し、下方に位置する前記第一データ記憶装置又は前記第二データ記憶装置は、複数の螺子及び前記底板上の前記係止孔を介して前記底板に固定されることを特徴とする請求項２に記載のデータ記憶装置用の固定装置。
【発明の詳細な説明】
【技術分野】
【０００１】
本発明は、データ記憶装置用の固定装置に関するものである。
【背景技術】
【０００２】
従来の技術において、ＣＤ−ＲＯＭドライブ、ハードディスクなどのデータ記憶装置は、コンピューターのラック内に収容される。サイズが異なるデータ記憶装置に対応するために、ラックも多種にわたる。しかし、サイズの違うデータ記憶装置を取り替える場合、ラックも取り替えなければならないため、作業を行う上で不便であるだけではなく、コストも高くなる。
【発明の概要】
【発明が解決しようとする課題】
【０００３】
本発明の目的は、前記課題を解決し、汎用性を有するデータ記憶装置用の固定装置を提供することである。
【課題を解決するための手段】
【０００４】
前記目的を達成するため、本発明に係るデータ記憶装置用の固定装置は、通孔を設けられた後板を有するラックと、前記後板に固定されるマザーボードと、を備え、前記マザーボードは、前記通孔を貫いて前記ラックの外部に突出する端子部品が突設されている第一側面及び前記第一側面の反対側を向いた第二側面を備え、第一データ記憶装置を固定する場合、前記マザーボードの第二側面には第一データ記憶装置に適合するコネクタが着脱可能に装着され、第二データ記憶装置を固定する場合、前記マザーボードの第二側面には第二データ記憶装置に適合するコネクタが着脱可能に装着される。
【発明の効果】
【０００５】
本発明に係るデータ記憶装置用の固定装置のマザーボードには、異なる規格を有する複数のコネクタが着脱可能に装着されているので、異なる寸法を有するデータ記憶装置を連結することができ、従って、前記データ記憶装置用の固定装置の汎用性を高める。
【図面の簡単な説明】
【０００６】
【図１】本発明の実施形態に係るデータ記憶装置用の固定装置と第一のデータ記憶装置の立体分解図である。
【図２】図１に示すデータ記憶装置用の固定装置と第一のデータ記憶装置の立体組立図である。
【図３】本発明の実施形態に係るデータ記憶装置用の固定装置と第二データ記憶装置の立体分解図である。
【図４】図３に示すデータ記憶装置用の固定装置と第二のデータ記憶装置の立体組立図である。
【発明を実施するための形態】
【０００７】
図１及び図３を参照すると、本発明の実施形態に係るデータ記憶装置用の固定装置は、第一データ記憶装置５（３．５寸のデータ記憶装置）、又は第二データ記憶装置６（２つの２．５寸のデータ記憶装置）を固定するために用いられる。前記データ記憶装置用の固定装置は、ラック１０と、前記ラック１０に装着されるマザーボード２０と、複数の係止部品３０と、を備える。本発明の実施形態において、前記係止部品３０は螺子である。
【０００８】
前記ラック１０は、蓋体が付いていないケース体であり、底板１２と、別々に前記底板１２の前端及び後端に直交する前板１５及び後板１６と、前記底板１２の両側から上に向かって垂直的に立設された２つの側板１４と、を備える。前記側板１４の両端は前記前板１５及び前記後板１６に直交する。前記底板１２には、複数の通風孔１２０及び複数の係合孔１２２が形成される。各々の前記側板１４には、複数の係合孔１４２が互いに離間して千鳥状に配設される。前記後板１６には、1つの通孔１６２が形成される。
【０００９】
前記マザーボード２０は、互いに反対側を向いた第一側面２２及び第二側面２４を備える。前記第二側面２４には、端子部品２５が突設される。前記第一側面２２には需要によって異なる規格を有する複数のコネクタが着脱可能に装着される。図１に示されたように、前記データ記憶装置用の固定装置に１つの第一データ記憶装置５を固定する場合、前記第一側面２２に前記第一データ記憶装置５に適合する１つのコネクタ２３を装着すればよい。図３に示されたように、前記データ記憶装置用の固定装置に２つの第二データ記憶装置６を固定する場合、前記第一側面２２に前記第二データ記憶装置６に適合する２つのコネクタ２３aを装着することを必要とする。
【００１０】
図１及び図２を参照すると、前記データ記憶装置用の固定装置に前記第一データ記憶装置５を固定する場合、まず、前記コネクタ２３を前記マザーボード２０の第一側面２２に固定する。次に、前記マザーボード２０を前記ラック１０の後板１６の内側に固定する。この時、前記マザーボード２０の端子部品２５は、前記後板１６の通孔１６２を貫き、前記ラック１０の外部に突出して、コンピューターのほかの素子に連結するために用いられる。次に、前記第一データ記憶装置５を前記ラック１０に収納して、前記コネクタ２３を前記第一データ記憶装置５のコネクタ（図示せず）に接続させる。次に、前記係止部品３０を前記ラック１０の側板１４の係合孔１４２に貫入させてから前記第一データ記憶装置５の前記係合孔１４２に対応するネジ孔（図示せず）に螺合させて、前記第一データ記憶装置５を前記ラック１０の側板に固定する。また、前記係止部品３０を前記係止孔１２２に貫かせてから前記第一データ記憶装置５の前記係止孔１２２に対応するネジ孔（図示せず）に螺合させて、前記第一データ記憶装置５を前記ラック１０の底板１２に固定することもできる。
【００１１】
図３及び図４を参照すると、前記データ記憶装置用の固定装置に２つの前記第二データ記憶装置６を固定する場合、まず、２つの前記コネクタ２３aを前記マザーボード２０の第一側面２２に固定してから、前記マザーボード２０を前記ラックの後板１６の内側に固定する。次に、２つの前記第二データ記憶装置６を重ね合わせてから、前記ラック１０内に収納して、２つの前記コネクタ２３aを２つの前記第二データ記憶装置６のコネクタ（図示せず）にそれぞれ接続させる。次に、下方に位置する前記第二データ記憶装置６は、前記係止部品３０を前記係止孔１２２に貫入させてから、下方に位置する前記第二データ記憶装置６の前記係止孔１２２に対応するネジ孔（図示せず）に螺合させて、下方に位置する前記第二データ記憶装置６を前記ラック１０の底板１２に固定する。上方に位置する前記第二データ記憶装置６は、前記係止部品３０を前記ラック１０の側板１４の係合孔１４２に貫入させてから上方に位置する前記第二データ記憶装置６の前記係合孔１４２に対応するネジ孔（図示せず）に螺合させて、上方に位置する前記第二データ記憶装置６を前記側板１４に固定する。
【００１２】
前記ラック１０は、前記第一データ記憶装置５又は前記第二データ記憶装置６を収容できるため、汎用性が高い。さらに、前記第一データ記憶装置５又は前記第二データ記憶装置６を固定する場合、同じマザーボード２０を利用できるため、コストも節約できる。
【００１３】
他の実施形態において、前記ラック１０に１つの第二データ記憶装置６を固定することも可能である。
【００１４】
他の実施形態において、前記側板１４に前記ラック１０の内側へ突出する複数の支持部品（図示せず）を設けて、前記ラック１０に２つの前記第二データ記憶装置６を固定する場合、複数の前記複数の支持部品で上方に位置する前記データ記憶装置６を支持することにより、２つの前記第二データ記憶装置６の間に隙間を形成し、２つの前記データ記憶装置６の熱を放熱し易い。
【００１５】
以上、本発明を実施例に基づいて具体的に説明したが、本発明は、上述の実施例に限定されるものではなく、その要旨を逸脱しない範囲において、種々変更可能であることは勿論であり、本発明の権利範囲は、以下の特許請求の範囲により定められる。
【符号の説明】
【００１６】
５  第一データ記憶装置
６  第二データ記憶装置
１０  ラック
１２  底板
１２０  通風孔
１２２  係止孔
１４２  係合孔
１４  側板
１５  前板
１６  後板
１６２  通孔
２０  マザーボード
２２  第一側面
２３、２３a  コネクタ
２４  第二側面
２５  端子部品
３０  係止部品
【図１】
2012128935.tif 000003
【図２】
2012128935.tif 000004
【図３】
2012128935.tif 000005
【図４】
2012128935.tif 000006